(57)【要約】      （修正有）【課題】目視した時に見つけた野鳥などの位置に、自然に双眼鏡の向きが向いているようにすること。【解決手段】双眼鏡の片方の対物レンズ側と接眼レンズ側の両方を板ガラスで構成して、その板ガラスを通して実際の景色をそのまま目視できるようにしたもので、対物レンズ側の板ガラスの中心に十字線を入れて、その十字線に双眼鏡の向きが一致するようにし、双眼鏡自身のレンズは従来の双眼鏡と同じにして、真ん中にある回転ノブ５１を少し大きくして且つ中を中空にして、その中に双眼鏡の軸を中空にしたものを嵌め込む。その中空の軸の接眼レンズ側に板ガラスを嵌め込み、対物レンズ側にも板ガラスを嵌め込んで、その中心に十字線４１を入れる。【選択図】図３
2012189740.tif 000002
【特許請求の範囲】
【請求項１】
双眼鏡の片方の対物レンズと接眼レンズの両方とも板ガラ
スや透明プラスチック板に変える。そして対物レンズ側の中
心に十字線を入れて、接眼レンズ側の板ガラスやプラスチッ
ク板を通して見える十字線が、双眼鏡の拡大されて見える像
の位置であることを特徴とする双眼鏡。
【請求項２】
双眼鏡の両方のレンズはそのままにして、双眼鏡の軸と回
転ノブを大きな中空にして、その対物レンズ側と接眼レンズ
側の両方に板ガラスや透明プラスチック板を嵌め込む。そし
て対物レンズ側の板ガラスや透明プラスチック板の中心に
十字線を入れて、接眼レンズ側の板ガラスやプラスチック板
を通して見える十字線が、双眼鏡の拡大されて見える像の
位置であることを特徴とする双眼鏡。
【発明の詳細な説明】
【技術分野】
【０００１】
本発明は、見たい対象物を簡単に見つけ易い双眼鏡に関す
るものである。
【背景技術】
【０００２】
双眼鏡の振れによる像振れを低減する光学防振ユニット
で電池の力でそれを達成しようという発明がある。
【０００３】
しかし、対象物を見つけてそれを見る時には非常に有効で
はあるが、最初に双眼鏡で対象物を見つけるのは困難であ
る。
【０００４】
そこで、野鳥の観察などを行う時には、野鳥の鳴き声のす
る方角を双眼鏡を使わずに見て、大体の景色を頭に入れて
から再度双眼鏡で探すということが行われている。しかし、目
視と双眼鏡を通しての景色には大きな差が有ってなかなか
上手く行かないのが現実である。
【０００５】
この改善策としては、現在のところ慣れるしかないのが現状
ではあるが、高倍率の高性能の双眼鏡を使用すると、目視と
双眼鏡を通した画面の差が大きすぎてなかなか慣れにくい。
そのため目視では見つけていながら双眼鏡ではっきりと見る
までに野鳥が飛び去って悔しい思いをすることが多い。
【先行技術文献】
【特許文献】
【０００６】
【特許文献１】特開2010-169845号公報
【発明の概要】
【発明が解決しようとする課題】
【０００７】
解決しようとする問題点は、目視した時に見つけた野鳥な
どの位置に、自然に双眼鏡の向きが向いているようにするこ
とである。
【課題を解決するための手段】
【０００８】
本発明は、双眼鏡の片方の対物レンズ側と接眼レンズ側
の両方を板ガラスで構成して、その板ガラスを通して実際の
景色をそのまま目視できるようにしたもので、対物レンズ側
の板ガラスの中心に十字線を入れて、その十字線に双眼鏡
の向きが一致するようにしたものである。
【０００９】
また、双眼鏡自身のレンズは従来の双眼鏡と同じにして、
真ん中にある回転ノブを少し大きくして且つ中を中空にして、
その中に双眼鏡の軸を中空にしたものを嵌め込む。その中
空の軸の接眼レンズ側に板ガラスを嵌め込み、対物レンズ
側にも板ガラスを嵌め込んで、その中心に十字線を入れる。
先ず双眼鏡の接眼レンズ側の、双眼鏡の中空の軸の板ガラ
スを覗く。すると対物レンズ側に見える十字線が双眼鏡の向
きを表しているので、十字線で目視と同じ感覚で見たい景色
をさがすと、両方のレンズを通して拡大された景色が見える。
【発明の効果】
【００１０】
本発明の双眼鏡は、従来の双眼鏡と同じように使用すると、
板ガラスに十字線の入っている方では直接の風景がそのま
ま見えて、その中の十字線の位置に双眼鏡が向いている。
そしてレンズが入っている方では、十字線の位置が拡大され
て見える。そこで、野鳥などが今目視している十字線の少し
上の方でチラッとでも見えると、その十字線をその位置に合
わせれば良い。そうするとチラッと見えた野鳥の姿がレンズ
が入っている方ではっきりと拡大して見て取れる。もしその
野鳥が飛び立ったとしても、十字線の向きを変えると、簡単
に見つけられる。
【００１１】
また、双眼鏡自身の両方のレンズはそのままにして、中空
の軸に嵌め込んだ板ガラスに十字線を入れた場合には、ま
ず、十字線で対象物を見つけてそのままの姿勢で両目を双
眼鏡に移せば良い。そこで対象物が見えない時には再び十
字線で探せば良い。
【図面の簡単な説明】
【００１２】
【図１】図１はこの発明の実施例１の対物レンズ側から見た図面である。（実施例１）
【図２】図２はこの発明の実施例１の接眼レンズ側から見える景色の図面である。（実施例１）
【図３】図３はこの発明の実施例２の対物レンズ側から見た図面である。（実施例２）
【図４】図４はこの発明の実施例２の接眼レンズ側から見える景色の図面である。（実施例２）
【発明を実施するための形態】
【００１３】
双眼鏡の片方のレンズの代わりに、板ガラスに十字線を入
れたものを使用することで、対象物を見つけ易くするという目
的を最小の部品点数で実現した。
【００１４】
双眼鏡の回転ノブを少し大きく且つ中空にして、その中に
中空の軸に板ガラスを嵌め込んで十字線を入れたことで、
対象物を見つけ易くした。
【実施例１】
【００１５】
図１は、本発明の実施例１の対物レンズ側から見た図面で
あって、１は双眼鏡本体、２は対物レンズ、３は板ガラス、４
は十字線、５は回転ノブ、６は双眼鏡の軸をそれぞれ表す。
【００１６】
この様に構成したので、対物レンズ２を通した景色は拡大
して見え、板ガラス３を通した景色はそのままで、中心には
十字線４が見える。本発明の双眼鏡を使用すると、板ガラス
３を通した景色の十字線４の位置が、対物レンズ２を通して
拡大された景色の位置と同じなので、対象物が見つけ易い。  
【００１７】
図２は、本発明の実施例１の接眼レンズ側から見える景色
である。
【実施例２】
【００１８】
図３は、本発明の実施例２の対物レンズ側から見た図面で
あって、１１は双眼鏡本体、２１は対物レンズ、３１は板ガラス、
４１は十字線、５１は中空回転ノブ、６１は双眼鏡の中空軸を
それぞれ表す。
【００１９】
この様に構成したので、対物レンズ２１を通した景色は拡
大して見え、双眼鏡の中空軸６に嵌め込まれた板ガラス３１
を通した景色はそのままで、中心には十字線４１が見える。
本発明の双眼鏡を使用すると、板ガラス３１を通した景色の
十字線４１の位置が、対物レンズ２１を通して拡大された景
色の位置と同じなので、対象物が見つけ易い。
【００２０】
図４は、本発明の実施例２の接眼レンズ側から見える景色
である。
【産業上の利用可能性】
【００２１】
実施例１の片方のレンズを板ガラスにして、その板ガラス
に十字線を入れた場合には、現在の双眼鏡よりも安価に製
造できるし、製造に関しては殆ど変更が必要ない。また、使
用者にとっても対象物が見つけ易いという利点がある。
【００２２】
実施例２の、双眼鏡の中空軸にに板ガラスを嵌め込み、そ
の板ガラスに十字線を入れた場合には、現在の双眼鏡より
も少し高く付くが、使用者にとっては対象物が見つけ易く、対
象物を見つけた後は現在の双眼鏡と同じ様に、より詳しく観
察できる。また、野鳥の観察中などで、野鳥が他の枝に飛び
移った場合にも、板ガラスの十字線で直ぐに見つけられるの
で観察を続けるのが容易になる。
【符号の説明】
【００２３】
１    双眼鏡本体
１１  双眼鏡本体
２    対物レンズ
２１  対物レンズ
３    板ガラス
３１  板ガラス
４    十字線
４１  十字線
５    回転ノブ
５１  中空回転ノブ
６    双眼鏡の軸
６１  双眼鏡の中空軸
【図１】
2012189740.tif 000003
【図２】
2012189740.tif 000004
【図３】
2012189740.tif 000005
【図４】
2012189740.tif 000006